(57)【要約】【課題】  ユーザーがインスタントくじを使用する上で、手間がかからず、使いやすく、削りカスが発生せず、また開封不良や、開封時の絵柄転写などの実用上の問題が生じないで、製造上で生産性が高く、製造コストが安いインスタントくじを提供する。【解決手段】  第一基材２の一方の面に印刷絵柄１（３）を設け、第二基材７の一方の面に印刷絵柄２（６）、絵柄転写防止層５を順に積層し、第一基材２と第二基材７とを、該印刷絵柄１（３）と絵柄転写防止層５とを対向するように、接着剤層４により貼り合せて接着したインスタントくじ１において、絵柄転写防止層５と印刷絵柄２（６）との間で剥離して、第一基材２と第二基材７とが分離し、印刷絵柄１（３）、印刷絵柄２（６）の少なくとも一つをくじ情報として認識できるものである。【選択図】      図１
2008100424.tif 000002
【特許請求の範囲】
【請求項１】
第一基材の一方の面に印刷絵柄１を設け、第二基材の一方の面に印刷絵柄２、絵柄転写防止層を順に積層し、第一基材と第二基材とを、該印刷絵柄１と絵柄転写防止層とを対向するように、接着剤層により貼り合せて接着したインスタントくじにおいて、絵柄転写防止層と印刷絵柄２との間で剥離して、第一基材と第二基材とが分離し、印刷絵柄１、印刷絵柄２の少なくとも一つをくじ情報として認識できることを特徴とするインスタントくじ。
【請求項２】
前記の第一基材と第二基材とが接着剤層のみを介して貼合して積層された部分を、端部に有し、該端部の第一基材に、ハーフカット加工が施されていることを特徴とする請求項１に記載のインスタントくじ。
r 2セ8c;Courier New;
【発明の詳細な説明】
【技術分野】
【０００１】
本発明はインスタントくじに関し、特に開封部を折り曲げると接着部が剥離しやすく、異なる接着力をもつ接着部を複数有し、製造上で生産性が高く、また製造コストが安く、ユーザーが使用する上で、手間がかからず、使いやすく、破れたごみや削りカスが発生しないインスタントくじに関するものである。
【背景技術】
【０００２】
短期キャンペーン用販促ツールとして、インスタントくじが利用されている。インスタントくじはその場で当たり・はずれが分かるために人気がある。コイン等で銀色の隠蔽部分を削るスクラッチタイプや、ミシン目を破って開封するタイプ等がある。
隠蔽部分を削るスクラッチタイプのインスタントくじは、隠蔽性を上げるためにアルミニウム等の銀インキを厚く塗る必要があり、コストがかかる。また、コイン等の道具を必要とし削りカスが出るため、食品を扱う店舗では衛生上好ましくない。そこで、特許文献１に示すような、コストが安く道具を必要とせずに当たり・はずれが分かり、生産性が高く、短納期に対応できるインスタントくじが利用されている。
【０００３】
上記の生産性が高いインスタントくじは、多面付けで印刷、丁合、断裁が可能なタイプである。このタイプは、断裁精度を上げるために（断裁で平面性をもたせるように）、１枚目と２枚目の大きさを等しくしている。開封は、用紙にミシン加工やハーフカットを施して、その部分をきっかけに行うが、ミシン加工の場合、用紙強度によっては開封不良を起こすことがあある。
【０００４】
また、ハーフカットでは、丁合後に別工程でピナクル刃でハーフカットをする方法と、印刷工程のインラインでカットを入れてから丁合をする方法がある。前者は工程が増えるために、生産性が良くない。そこで、後者の方法がとられるが、カットを施してから、丁合を行うと、糊がカット部分に侵入して接着するために、開封不良の原因となる。また、カット部分を糊抜きすると、用紙の端部が浮き上がり、くじを取り扱い中に、開封する恐れがあった。
【０００５】
さらに、断裁適性を向上させるためには、１枚目と２枚目を全面接着させる方法が好ましいが、剥離の仕方によっては、開封時に絵柄転写が起こる（絵柄の印刷部が開封時に糊側に転写してしまう）場合があるので、バーコードや識別情報の印刷の一部が転写した場合には、読み取り不良の原因となる。そのため絵柄の上全面に剥離印刷を行うが、オフセット印刷では塗工量が薄く、塗工面に孔があいているため、その部分が絵柄の転写の原因となる。剥離印刷の重ね刷りは効果的であるが、一般的なＢＦ用のオフセット多色機は８〜9色機なので印刷色数に制限があり、また、特殊印刷機限定の生産になり生産性が劣るという問題が多い。
【特許文献１】特開平８−１４２５５９号公報
【発明の開示】
【発明が解決しようとする課題】
【０００６】
したがって、本発明は、ユーザーがインスタントくじを使用する上で、手間がかからず、使いやすく、削りカスが発生せず、また開封不良や、開封時の絵柄転写などの実用上の問題が生じないで、製造上で生産性が高く、製造コストが安いインスタントくじを提供することを目的とする。
【課題を解決するための手段】
【０００７】
以上の状況を鑑み、鋭意研究開発を進め、本発明に到った。すなわち、請求項１に記載のインスタントくじの発明は、第一基材の一方の面に印刷絵柄１を設け、第二基材の一方の面に印刷絵柄２、絵柄転写防止層を順に積層し、第一基材と第二基材とを、該印刷絵柄１と絵柄転写防止層とを対向するように、接着剤層により貼り合せて接着したインスタントくじにおいて、絵柄転写防止層と印刷絵柄２との間で剥離して、第一基材と第二基材とが分離し、印刷絵柄１、印刷絵柄２の少なくとも一つをくじ情報として認識できることを特徴とする。
【０００８】
請求項２に記載の発明は、請求項１に記載のインスタントくじにおいて、第一基材と第二基材とが接着剤層のみを介して貼合して積層された部分を、端部に有し、該端部の第一基材に、ハーフカット加工が施されていることを特徴とする。
【発明の効果】
【０００９】
本発明のインスタントくじは、第一基材の一方の面に印刷絵柄１を設け、第二基材の一方の面に印刷絵柄２、絵柄転写防止層を順に積層し、第一基材と第二基材とを、該印刷絵柄１と絵柄転写防止層とを対向するように、接着剤層により貼り合せて接着した構成であり、絵柄転写防止層と印刷絵柄２との間で剥離して、第一基材と第二基材とが分離し、印刷絵柄１、印刷絵柄２の少なくとも一つをくじ情報として認識できるものである。また、上記のインスタントクジで、第一基材と第二基材とが接着剤層のみを介して貼合して積層された部分を、端部に有し、該端部の第一基材に、ハーフカット加工が施されていることが好ましい。これにより、第一基材と第二基材とを剥がしやすくなる。
【００１０】
上記のインスタントくじは、第一基材と第二基材とを剥がして、分離した時に、第二基材側に設けられた印刷絵柄２が、第一基材側に転写されて、取られることを、防止するために、絵柄転写防止層を形成したものである。絵柄転写防止層と印刷絵柄２とは、両者が接する界面で、均一に剥離することで、印刷絵柄２が絵柄転写防止層側に転写して取られない。
【００１１】
本発明は、以上のように、ユーザーがインスタントくじを使用する上で、手間がかからず、使いやすく、削りカスが発生せず、また開封不良や、開封時の絵柄転写などの実用上の問題を防止でき、また第一基材、印刷絵柄１、接着剤層、絵柄転写防止層、印刷絵柄２、第二基材の積層体を、第一基材上に印刷絵柄１を印刷し、第二基材上に印刷絵柄２、絵柄転写防止層を順に印刷し、それらの基材を接着剤層により貼り合せて接着するだけで、製造上で単純で生産性が高く、製造コストが安いものである。尚、第一基材にハーフカット加工を施す方法としては、印刷絵柄１の印刷時にインラインで加工を行うことが好ましい。
【発明を実施するための最良の形態】
【００１２】
本発明を図１に示す最良の実施の形態に基づいて、詳細に説明する。
図１は、本発明のインスタントくじ１の一つの実施形態を示す概略図であり、図１（ａ）は第一基材と第二基材とを剥がす前の積層体を示すもので、第一基材２、印刷絵柄１（３）、接着剤層４、絵柄転写防止層５、印刷絵柄２（６）、第二基材７の順に積層された構成であり、インスタントくじ１の左端部は、第一基材２と第二基材７とが接着剤層４のみを介して貼り合った構成で、その端部の第一基材２に、ハーフカット８加工が施されている。
【００１３】
図１（ａ）に示す状態から、第一基材２と第二基材７とを剥がすと、図１（ｂ）に示すような状態になる。（図示した矢印のように剥がす）すなわち、ハーフカット８加工の箇所で、第一基材２が破断し、左端部に有した第一基材２１が接着剤層４とともに第二基材７側に残り、また第二基材７側の第一基材２１の積層していない部分には、絵柄転写防止層５から剥離した印刷絵柄２（６）が露出した状態である。また、第一基材２側はハーフカット８加工の箇所で、破断した後の第一基材２２の上に、印刷絵柄１（３）、接着剤層４、絵柄転写防止層５を順に積層した構成で、絵柄転写防止層５が最表面に位置している。尚、絵柄転写防止層５の上には、印刷絵柄２（６）が部分的にも転移されていない。このような第一基材２と第二基材７とを剥がした後には、第二基材７上の印刷絵柄２（６）と第一基材２上の印刷絵柄１（３）が認識できる。印刷絵柄１（３）、印刷絵柄２（６）の少なくとも一つをくじ情報として使用できる。
【００１４】
以下、本発明のインスタントくじを構成する要素について、説明する。
（第一基材、第二基材）
第一基材２、第二基材７は、上質紙、アート紙、コート紙、キャストコート紙、合成樹脂又はエマルジョン含浸紙、合成ゴムラテックス含浸紙、合成樹脂内添紙、セルロース繊維紙等を使用することができる。また、上記の紙を原料にしたものでなく、ポリエステル樹脂、ポリエチレン樹脂、ポリプロピレン樹脂、ポリスチレン樹脂、アクリル樹脂等に、白色顔料や充填剤を加えて成膜した白色フィルム、あるいは上記の合成樹脂からなる基材シート内部にミクロボイドを有するシート等も用いられる。但し、識別情報を隠蔽しやすくために、不透明性の高いものが好ましい。これらの第一基材、第二基材の厚みは、通常３〜３００μｍ程度であり、本発明においては、取扱い適性等を考慮し、２０〜１７５μｍ程度のものを用いるのが好ましい。
【００１５】
（印刷絵柄）
本発明のインスタントくじは、第一基材には印刷絵柄１を設け、第二基材には、印刷絵柄２を設ける。印刷絵柄１、印刷絵柄２のいずれも、例えば、携帯電話やＰＣで各種のキャンペーン等に応募する際のパスワードや、「当たり」、「外れ」の文字や、「一等」、「二等」などの当選区分、あるいは当選した商品の具体名「テレビ」等を、記載させることができる。また、印刷絵柄１、印刷絵柄２の一方を上記の記載をした場合、他方の印刷絵柄は、全面で各種のパターン、地紋印刷を施すこともできる。
【００１６】
本発明のインスタントくじは、絵柄転写防止層と印刷絵柄２との間で剥離して、第一基材と第二基材とを分離させるものであり、印刷絵柄２を形成する材料には、後記で示す絵柄転写防止層と剥離しやすいものを選定する。例えば、ＵＶインキ、酢酸ビニル系樹脂、ＥＶＡ樹脂（エチレン−酢酸ビニル共重合体樹脂）、アクリル系樹脂、ポリウレタン系樹脂等を用い、また必要に応じてシリコーン系等の離型剤を添加して、印刷又はコーティング等によって印刷絵柄２を形成することができる。この印刷絵柄の塗布量は、特に限定はされないが、乾燥時で通常３〜２０ｇ／ｍ2程度であり、好ましくは５〜１０ｇ／ｍ2程度である。尚、印刷絵柄１の方は、印刷絵柄２とは異なり、材料的に特定されるものでなく、使用する材料は限定されない。
【００１７】
上記の印刷絵柄とは別に、第一基材の表面（印刷絵柄１と接する側と反対側）や、第二基材の表面（印刷絵柄２と接する側と反対側）に、例えば対象とするキャンペーンの説明等を印刷したり、あるいは可変情報をプリンターで印字したりすることが可能である。
【００１８】
（接着剤層）
本発明のインスタントくじは、印刷絵柄１を設けた第一基材と、印刷絵柄２、絵柄転写防止層を順に積層した第二基材とを、印刷絵柄１と絵柄転写防止層とを対向するように、接着剤層４により貼り合せて接着した構成である。その接着剤層は、第一基材と第二基材とを強固に接着させる接着剤を塗工することで、形成される。その接着剤としては、例えば、ウレタン系、アクリル系などの熱可塑性樹脂を使用することができ、フレキソ法、グラビア法などの公知の印刷法又はコーティング法によって、塗布量が１〜３０ｇ／ｍ2程度（乾燥時）に塗布し、両基材を貼り合わせて接着する。その際に、接着剤が乾燥してから貼り合わせるドライラミネート方式や、接着剤が乾燥していない状態で貼り合わせるウェット、又はセミウェットラミネート方式、熱圧着方式や感圧方式等が適用できる。
【００１９】
（絵柄転写防止層）
絵柄転写防止層５としては、インスタントくじの印刷絵柄２を形成している層と、容易に剥離できるような接着性の低いゴムや樹脂を使用することが好ましく、例えば、天然ゴム、合成ゴム、シリコーンゴム、アクリル系樹脂などが好適に用いられる。但し、印刷絵柄２と剥がれやすくするために、絵柄転写防止層を構成する材料は、造膜性が高く、均一な膜を形成するものが好ましい。絵柄転写防止層の塗布量は、特に限定されないが、好ましくは、塗布量は乾燥時で０．１〜５０ｇ／ｍ2である。
【００２０】
（ハーフカット）
インスタントくじにおいて、
第一基材と第二基材とが接着剤層のみを介して貼合して積層された部分を、端部に有した構成で、該端部の第一基材に、ハーフカット８加工を施すことができる。このハーフカットは、加工方法は限定するものではないが、本発明では、第一基材の印刷絵柄１を印刷する工程と、インラインでミシン目による加工によるハーフカット処理を施すことが好ましい。これにより、製造上で生産性が高く、製造コストが安いものとなる。
【図面の簡単な説明】
【００２１】
【図１】本発明のインスタントくじの一つの実施形態を示す概略図である。
【符号の説明】
【００２２】
１      インスタントくじ
２      第一基材
３      印刷絵柄１
４      接着剤層
５      絵柄転写防止層
６      印刷絵柄２
７      第二基材
８      ハーフカット
【図１】
2008100424.tif 000003